(57)【要約】【課題】表示画像の趣向性を高める。【解決手段】ＣＣＤ２６によって得られた撮像画像７６の画像データと、ＣＣＤ２８によって得られた撮像画像７８との重複領域の画像６４に含まれるスクリーン３４の範囲６５を特定し、特定したスクリーン３４の範囲６５を示す枠画像５９を作成し、枠画像５９の枠データからＬＣＤ３６及びＬＣＤ３８に表示する枠画像６０の枠データを作成する。この枠画像６０は、ＬＣＤ３６及びＬＣＤ３８に表示されると、ＬＣＤ３６及びＬＣＤ３８を介してスクリーン３４上に枠画像５８が視認される。従って、ユーザの自己の視認範囲におけるプリント形成の対象となる範囲をユーザに対して視認可能に提供することができる。【選択図】  図１
2004248116.tif 000002
【特許請求の範囲】
【請求項１】
頭部に装着可能でかつ視界内に表示画像を提示可能な表示手段を含む表示制御装置において、
前記表示手段の近傍に設けられ、視線方向と同様の方向の被写体を撮影して画像データを得る撮影手段と、
前記画像データから前記画像データの撮影画像に含まれる予め定めた大きさで提示された撮影画像の画面の範囲を特定する特定手段と、
特定した前記画面の範囲を示す枠画像の枠データを生成する枠生成手段と、
前記枠画像の大きさ及び位置が前記画面の範囲と略一致するように視認されるように前記表示手段へ表示させるための表示画像を生成すると共に、生成された表示画像を前記表示手段へ表示する制御手段と、
を備えることを特徴とする表示制御装置。
【請求項２】
前記撮影画像の画像データの画像形成を指示する指示手段と、画像データの画像を記録媒体に形成する画像形成手段を更に備え、前記制御手段は、前記指示手段による指示により、指示された画像データの撮影画像から前記枠画像の範囲内の撮影画像を記録媒体に形成するように更に制御することを特徴とする請求項１に記載の表示制御装置。
【発明の詳細な説明】
【０００１】
【発明の属する技術分野】
本発明は、表示制御装置に係り、特に、頭部に装着可能でかつ視界内に表示画像を提示可能な表示手段を含む表示制御装置に関する。
【０００２】
【従来の技術】
従来より、テーマパーク内等の遊技施設において、スクリーン上に様々な風景等の表示画像が提示されるアトラクションが知られている。このようなアトラクションでは、ユーザは、スクリーン上の表示画像を視認することにより、表示画像を楽しむことができるようになっている。このようなアトラクションにおいて、ユーザの頭部に装着可能なゴーグルを介してスクリーン上の表示画像が視認されると、ユーザの視界内に立体画像等が視認され、臨場感あふれる画像を提供する技術が知られている。
【０００３】
また、ゴーグルに設けられたＬＣＤに表示された画像をユーザの視界内に投影することによって、ＬＣＤに表示された画像をユーザに視認させるゴーグルが知られている。このようなゴーグルでは、スクリーンに表示画像を提示することなく、ユーザに対して視認可能に画像を提供することができる。
【０００４】
このようなゴーグルにおいて、ゴーグルを装着したユーザの視線方向を認識する技術（例えば、特許文献１参照。）が知られている。特許文献１の技術によれば、角膜曲率中心と瞳孔中止の位置情報を用いることによって、ユーザの視線方向を正確に認識することができる。
【０００５】
【特許文献１】
特開平８−２３８２２２号公報（第４頁―５頁、図１）
【０００６】
【発明が解決しようとする課題】
しかしながら上記技術では、ユーザが目視している方向の視界内で認識させるべき画像の領域を、ユーザに対して特定可能に提供するものではなかった。
【０００７】
本発明は上記問題点を解決するためになされたもので、頭部に装着可能でかつ視界内に表示画像を提示可能な表示手段を含む表示制御装置において、視界内に提示される主要画像をユーザに対して視認可能に提供し、表示画像の趣向性を高めることが可能な表示制御装置を提供することを目的とする。
【０００８】
【課題を解決するための手段】
上記目的を達成するために本発明は、頭部に装着可能でかつ視界内に表示画像を提示可能な表示手段を含む表示制御装置において、前記表示手段の近傍に設けられ、視線方向と同様の方向の被写体を撮影して画像データを得る撮影手段と、前記画像データから前記画像データの撮影画像に含まれる予め定めた大きさで提示された撮影画像の画面の範囲を特定する特定手段と、特定した前記画面の範囲を示す枠画像の枠データを生成する枠生成手段と、前記枠画像の大きさ及び位置が前記画面の範囲と略一致するように視認されるように前記表示手段へ表示させるための表示画像を生成すると共に、生成された表示画像を前記表示手段へ表示する制御手段と、を備えることを特徴としている。
【０００９】
本発明の表示制御装置は、ユーザの頭部に装着可能であり、装着されることによってユーザの視界内に表示画像を提示可能な表示手段を含んでいる。表示手段の近傍には、撮影手段が設けられている。撮影手段では、ユーザの視線方向と同様の方向の被写体を撮影して画像データが得られる。特定手段では、撮影手段によって得られた画像データから、画像データの撮影画像に含まれる予め定めた大きさで提示された画面の範囲が特定される。この画面は、表示画像が映し出されたものであって、一例として、表示画像が映し出されたスクリーンがある。画面の範囲の特定は、撮影画像から、撮影画像の濃度分布が一様に繋がる連続部分を求めること等によって行われる。
【００１０】
枠生成手段では、特定手段によって特定された画面の範囲から、この画面の範囲を示す枠画像の枠データが生成される。枠データは、撮影画像における枠画像の位置及び大きさを示すデータを含んで構成される。
【００１１】
制御手段は、表示手段へ表示するための表示画像を生成すると共に、生成した表示画像を表示手段へ表示する。表示画像は、枠データから生成され、撮影画像における枠画像の位置及び大きさに対応する、ユーザが視界として視認している画角の内の位置及び大きさに応じて、その対応する位置にあわせて枠の表示画像が表示手段に表示されるように生成される。
【００１２】
表示手段に表示画像が表示されると、表示手段を介して画面が視認されることにより、視界内の画面の範囲と略一致する枠の表示画像を、表示制御装置を装着したユーザに対して視認可能に提供することができる。すなわち、ユーザに対して、視界内の画面の範囲と一致する枠画像を視認可能に提供することができる。このため、ユーザ各々の画面内における視覚範囲を、各々のユーザに視認可能に提供することができる。
【００１３】
前記撮影画像の画像データの画像形成を指示する指示手段と、画像データの画像を記録媒体に形成する画像形成手段を更に備え、前記制御手段は、前記指示手段による指示により、指示された画像データの撮影画像から前記枠画像の範囲内の撮影画像を記録媒体に形成するように更に制御することができる。
【００１４】
本発明の表示制御装置は、画像データの画像を記録媒体に形成する画像形成手段を更に備えることができる。指示手段によって画像形成指示がなされると、制御手段は、指示された画像データの撮影画像から枠画像の範囲内の画像を抽出し、抽出した画像を記録媒体に形成することができる。
【００１５】
このため、表示手段によって視認可能に提供された表示画像の範囲内に相当する画面の表示画像を記録媒体に形成することができる。
【００１６】
【発明の実施の形態】
本発明の表示制御装置に係るゴーグルの一の実施の形態を図面に基づき説明する。本実施の形態は、主に撮像機能を有するゴーグルと、ゴーグルに無線によって接続可能な画像処理を行うための制御装置とから構成されるゴーグルシステム１０に本発明を適用したものである。
【００１７】
図１には、本実施の形態に係るゴーグルシステム１０の構成を模式的に示した。
【００１８】
ゴーグルシステム１０には、ユーザに装着されるゴーグル１２が備えられている。ゴーグル１２には、有線または無線により制御装置１４が接続されている。ゴーグル１２と制御装置１４は、相互通信により互いにデータ授受が可能な構成となっている。
【００１９】
ゴーグル１２は、撮像部１６、表示部１８、制御部２０、操作部２２、及び通信部２４から構成されている。制御部２０は、上記撮像部１６、表示部１８、操作部２２、及び通信部２４の各々とバス２５を介して接続され、互いにデータやコマンドの授受が可能な構成とされている。制御部２０は、図示を省略したＣＰＵ、ＲＯＭ、及びＲＡＭからなるマイクロコンピュータを含んで構成されており、後述する処理ルーチンにより作動する。
【００２０】
撮像部１６は、それぞれ独立したＣＣＤ２６及びＣＣＤ２８から構成されている。ＣＣＤ２６及びＣＣＤ２８は、各々図示を省略したメモリを含んで構成されている。ＣＣＤ２６の近傍には、図示を省略した映写機等によってスクリーン３４上に映し出された映像（以下、対象画像という）を結像させるためのレンズ３０が設けられている。ＣＣＤ２６は、レンズ３０により得られる対象画像からの反射光を撮像画像を示すアナログ画像データに変換し、図示を省略したメモリに記憶するためのものである。
【００２１】
また、ＣＣＤ２６と同様に、ＣＣＤ２８の近傍には、対象画像を結像させるためのレンズ３２が設けられている。ＣＣＤ２８は、レンズ３２により得られる対象画像からの反射光を撮像画像を示すアナログ画像データに変換し、図示を省略したメモリに記憶するためのものである。
【００２２】
なお、本実施の形態では、撮像部１６は、簡易な撮像部であり、その画像処理を制御装置１４側で行うものとする。
【００２３】
表示部１８は、ＬＣＤ３６及びＬＣＤ３８から構成されている。ＬＣＤ３６及びＬＣＤ３８は、プリント作成の対象範囲を示す枠画像を表示するためのものである（詳細後述）。
【００２４】
操作部２２は、撮像によって得られた画像データの画像を詳細を後述する制御装置１４側で行われるプリント作成対象の画像とするための撮影指示を行う際にユーザによって押圧操作されるものである。通信部２４は、制御装置１４とデータや各種コマンドを相互通信するための通信インターフェースである。
【００２５】
制御装置１４は、制御部４０、キーボード等の操作部４２、通信部４４、記憶部４６、ＣＲＴやＬＣＤ等の表示部４８、及びプリンタ部５０から構成されている。制御部４０は、上記操作部４２、通信部４４、記憶部４６、表示部４８、及びプリンタ部５０の各々とバス４５を介して接続され、互いにデータやコマンドの授受が可能な構成とされている。制御部４０は、図示を省略したＣＰＵ、ＲＯＭ、及びＲＡＭが互いにデータの授受が可能に構成されたマイクロコンピュータを含んで構成されている。制御部４０は、主に、ゴーグル１２のＬＣＤ３６及びＬＣＤ３８に表示される枠画像（詳細後述）の枠データの作成処理、及び撮影指示された撮像画像のプリント処理（詳細後述）等を行う機能部であり、後述する処理ルーチンにより作動する。
【００２６】
通信部４４は、ゴーグル１２と各種データやコマンドを送受信するための通信インターフェースである。
【００２７】
記憶部４６は、各種データを記憶するためのものであり、画像データ記憶テーブル４７及び撮影データ記憶テーブル４９を含んで構成されている。画像データ記憶テーブル４７は、ゴーグル１２を識別可能な識別番号と、ゴーグル１２のＣＣＤ２６及びＣＣＤ２８によって得られた撮像画像の画像データとを関連付けて記憶するためものもである。撮影データ記憶テーブル４９は、ゴーグル１２を識別可能な識別番号と、ゴーグル１２によって撮影指示された画像データとを関連付けて記憶するためのものである。
【００２８】
プリンタ部５０は、撮影データ記憶テーブル４９に記憶された画像データの画像に対して所定の画像処理を行って、用紙や印画紙等の記録材料に撮像画像を記録してプリントを作成するためのものである。
【００２９】
なお、制御装置１４に、通信部４４を介してゴーグル１２を複数接続することも可能である。本実施の形態では、ゴーグル１２を単体で接続した場合を説明する。
【００３０】
なお、上記ＬＣＤ３６及びＬＣＤ３８は、本発明の表示制御装置の表示手段に相当し、上記撮像部１６は、撮影手段に相当する。また、上記操作部２２及び操作部４２は、本発明の表示制御装置の指示手段に相当し、プリンタ部５０は、画像形成手段に相当する。
【００３１】
図２には、ゴーグル１２の構成の一例を示す一部破砕の上面図を示した。ゴーグル１２の筐体１３には、レンズ３０、レンズ３２、ＬＣＤ３６、ＬＣＤ３８及び通信部２４が設けられている。また、筐体１３の側面には、ゴーグル１２をユーザに対して装着可能にするための一対の装着部５２が設けられている。
【００３２】
ゴーグル１２は、装着部５２を介してユーザに装着されることによって、ユーザの右目５４の視線方向Ｘの近傍にＬＣＤ３６及びレンズ３０が設けられ、左目５６の視線方向Ｘの近傍にＬＣＤ３８及びレンズ３２が設けられる。ユーザは、ゴーグル１２を装着することにより、ＬＣＤ３６及びＬＣＤ３８を介してスクリーン３４上に映し出された対象画像とともに、ＬＣＤ３６及びＬＣＤ３８各々に表示された詳細を後述する枠画像を介してスクリーン３４上に枠画像５８を視認することが可能となる。
【００３３】
装着部５２にいは、操作部２２が設けられている。なお、操作部２２は、ケーブルを介して有線で接続されるようにしてもよいし、無線により接続されるようにしてもよい。
【００３４】
なお、レンズ３０及びレンズ３２は、レンズ３０の撮像範囲７０とレンズ３２の撮像範囲７２の大部分の領域が重複する事によって形成される重複領域７４が得られるように設けられるものとして説明する。
【００３５】
なお、スクリーン３４には、スクリーン３４の範囲外は暗く、且つスクリーン３４の範囲内のみ明るくなるように、常に対象画像が提供されるものとして説明する。
【００３６】
なお、ゴーグル１２とスクリーン３４間の距離は、予め定められており、且つ一定であるものとして説明する。
【００３７】
また、制御装置１４の記憶部４６には、予めゴーグル１２のＬＣＤ３６及びＬＣＤ３８の大きさを示す情報、及びＬＣＤ３６及びＬＣＤ３８からスクリーン３４までの距離を示す情報が予め記憶されているものとして説明する
次に本実施の形態の作用を説明する。
【００３８】
図３には、ゴーグル１２で実行される処理ルーチンを示した。なお、本実施の形態では、ゴーグル１２には、各ゴーグル１２を識別可能な識別番号が予め図示を省略したＲＯＭに記憶されているものとして説明する。
【００３９】
図示を省略した電源スイッチによりゴーグル１０に電源が投入されると所定時間毎に図３に示す処理ルーチンが実行され、ステップ１００へ進み、ＣＣＤ２６及びＣＣＤ２８において、撮像処理が実行される。ステップ１００の処理は、スクリーン３４上の対象画像を撮像するときにおけるＣＣＤ２６及びＣＣＤ２８で各種簡易調整を行って、ＣＣＤ２６の撮像領域７０の撮像画像の画像データ及びＣＣＤ２８の撮像領域７２の撮像画像の画像データを得るものである。本実施の形態では、ステップ１００の処理によって、図６に示す、ＣＣＤ２６の撮像画像７６の画像データ及びＣＣＤ２８の撮像画像７８の画像データが得られる。
【００４０】
次にステップ１０２では、上記ステップ１００のＣＣＤ２６の撮像処理によって得られた撮像画像７６の画像データをＣＣＤ２６の図示を省略したメモリに記憶する。また、同時に、上記ステップ１００のＣＣＤ２８の撮像処理によって得られた撮像画像７８の画像データをＣＣＤ２８の図示を省略したメモリに記憶する。
【００４１】
次にステップ１０４では、上記ステップ１０２でＣＣＤ２６の図示を省略したメモリに記憶した撮像画像７６の画像データ及びＣＣＤ２８の図示を省略したメモリに記憶された撮像画像７８の画像データを順次読み取る。また、予め記憶したゴーグル１２の識別番号を制御部２０の図示を省略したＲＯＭから読み取る。次にステップ１０６において、上記ステップ１０４で読み取った撮像画像７６の画像データ、撮像画像７８の画像データ、及びゴーグル１２の識別番号を制御装置１４へ送信する。
【００４２】
次にステップ１０８では、制御装置１４から枠データを受信するまで否定判断を繰り返し、肯定されるとステップ１１０へ進む。枠データは、図５のゴーグル１２を反視線方向（図２に示す視線方向Ｘと反対の方向）から見た正面図に示すように、ＬＣＤ３６及びＬＣＤ３８に表示する枠画像６０の枠データである。この枠データは、ＬＣＤ３８に表示３６及びＬＣＤ３８における枠画像６０の位置及び枠画像６０の大きさを示す情報を含んで構成される。
【００４３】
次にステップ１１０において、上記ステップ１０８で受信した枠データを図示を省略したＲＡＭへ一時的に記憶し、次のステップ１１２において、格納した枠データの枠画像６０をＬＣＤ３６に表示すると共に、ＬＣＤ３８に表示する。ステップ１１２の処理によって、図５に示すように、ＬＣＤ３６及びＬＣＤ３８には、それぞれ枠画像６０が表示される。ＬＣＤ３６及びＬＣＤ３８へ、各々枠画像６０を表示することによって、図２に示すように、ユーザに対して枠画像５８をスクリーン３４上に視認可能に提示することができる。
【００４４】
なお、上記ステップ１１０において、図示を省略したＲＡＭに既に枠データが記憶されていた場合、既に記憶された枠データを削除した後、上記ステップ１０８で受信した枠データを記憶するようにすればよい。
【００４５】
次にステップ１１４では、撮影指示がなされたか否かを判断する。撮像指示は、視認可能に提示された枠画像５８の範囲内に視認されるスクリーン３４上の対象画像を、制御装置１４側で実行されるプリント作成の対象となる画像とするための指示を行うためのものである。ステップ１１４の判断は、操作部２２による信号受信によって押圧操作されたか否かを判断することによって可能である。
【００４６】
ステップ１１４で否定されると本ルーチンを終了し、肯定されると、ステップ１１６へ進み、制御装置１４へゴーグル１２の識別番号を含む撮影指示信号を送信した後に本ルーチンを終了する。
【００４７】
なお、上記ステップ１００及びステップ１０２の処理が本発明の表示制御装置の撮影手段の機能に相当し、上記ステップ１１２の処理が表示手段の機能に相当する。
【００４８】
次に制御装置１４では、所定時間毎に図４に示す処理ルーチンが実行され、ステップ２００においてゴーグル１２から、撮像画像７６の画像データ、撮像画像７８の画像データ、及びゴーグル１２の識別番号を受信したか否かを判断する。ステップ２００で肯定されるとステップ２０２へ進み、上記ステップ２００で受信したデータを記憶部４６へ記憶する。ステップ２０２の処理は、具体的には、撮像画像７６の画像データ、撮像画像７８の画像データ、及びゴーグル１２の識別番号を関連付けて記憶部４６の画像データ記憶テーブル４７へ記憶するものである。
【００４９】
次にステップ２０４では、上記画像データ記憶テーブル４７へ記憶した撮像画像７６の画像データ及び撮像画像７８の画像データから撮像画像７６と撮像画像７８との重複領域の画像を抽出する。ステップ２０４の処理によって、図６に示す重複領域の画像６４が抽出される。次にステップ２０５において、上記ステップ２０４で抽出された重複領域の画像６４の画像データを記憶部４６へ記憶する。ステップ２０５の処理は、抽出した重複領域の画像６４の画像データを画像データ記憶テーブル４７の上記ステップ２０２で記臆したゴーグル１２の識別番号に関連付けて記憶するものである。
【００５０】
次にステップ２０６では、上記ステップ２０５で記憶部４６へ記憶した重複領域の画像データの画像６４に含まれるスクリーン３４の範囲を特定する。ステップ２０６の処理は、具体的には、図６に示す重複領域の画像６４に含まれるスクリーン３４の範囲６５を特定するものである。ステップ２０６の処理では、重複領域の画像データの画像６４全体の濃度を求め、求めた濃度の分布が一様に繋がる連続部分を求めることによって、スクリーン３４の範囲６５を特定する。
【００５１】
次のステップ２０８では、上記ステップ２０６で特定した重複領域の画像６４に含まれるスクリーン３４の範囲６５を示す枠画像５９の枠データが作成される。例えば、図６に示すように、重複領域の画像６４に含まれるスクリーン３４の範囲６５内に含まれるような枠画像５９の枠データが作成される。この枠画像５９の枠データは、重複領域の画像６４上の位置及び大きさを示す情報を含んで構成される。
【００５２】
次にステップ２０９では、ＬＣＤ３６及びＬＣＤ３８に表示する枠画像６０の枠データ作成処理が行われる。ステップ２０９の処理は、上記ステップ２０８で作成された重複領域の画像６４上の枠画像５９の位置及び大きさを示す情報、予め記憶したＬＣＤ３６及びＬＣＤ３８の大きさを示す情報、及び予め記憶されたＬＣＤ３６及びＬＣＤ３８からスクリーン３４までの距離を示す情報等から、枠画像６０の枠データを作成する。枠画像６０の枠データは、ＬＣＤ３６及びＬＣＤ３８上の枠画像６０の位置情報、及び枠画像６０の大きさを示すデータを含んで構成される。
【００５３】
次にステップ２１０では、上記ステップ２０８で作成した枠画像５９の枠データ、及び上記ステップ２０９で作成した枠画像６０の枠データを記憶部４６へ記憶する。ステップ２１０の処理は、上記ステップ２０８で作成した枠画像５９の枠データ、及び上記ステップ２０９で作成した枠画像６０の枠データを記憶部４６の画像データ記憶テーブル４７へ、上記ステップ２０２で記憶したゴーグル１２の識別番号に関連付けて記憶するものである。
【００５４】
次にステップ２１２では、上記ステップ２１０で記憶部４６へ記憶した枠画像６０の枠データをゴーグル１２へ送信した後に、本ルーチンを終了する。
【００５５】
なお、上記ステップ２１２の処理終了後、更にゴーグル１２から、既に画像データ記憶テーブル４７に記憶済みの識別番号と一致するゴーグル１２の識別番号及び画像データを受信し、ステップ２００で肯定された場合、上記ステップ２０２、ステップ２０５、及びステップ２１０の記憶処理は、画像データ記憶テーブル４７に記憶済みの識別番号、及び記憶済みの識別番号に対応する各データを更新することによって行われる。
【００５６】
このため、画像データ記憶テーブル４７には、常に最新の、ゴーグル１２から受信したＣＣＤ２６によって得られた撮像画像７６の画像データ、ＣＣＤ２８によって得られた撮像画像７８の画像データ、重複領域の画像６４の画像データ、枠画像５９の枠データ、及び枠画像６０の枠データが記憶される。
【００５７】
一方、上記ステップ２００で否定されると、ステップ２１４へ進み、ゴーグル１２から、撮影指示信号を受信したか否かを判断する。ステップ２１４で肯定されるとステップ２１６へ進む。ステップ２１６では、記憶部４６に記憶された画像データ記憶テーブル４７から、上記ステップ２１４で受信した撮影指示信号に含まれるゴーグル１２の識別番号に該当する、重複領域の画像６４の画像データ及び枠画像５９の枠データを検索する。
【００５８】
次にステップ２１７では、上記ステップ２１６で検索した重複領域の画像６４の画像データ及び枠画像５９の枠データから、重複領域の画像６４上の枠画像５９の範囲内の画像の画像データを抽出する。例えば、図６に示す重複領域の画像６４上の枠画像５９の範囲内の画像６６の画像データが抽出される。枠画像５９内の画像６６は、すなわち、上記重複画像６４に含まれるスクリーン３４の範囲６５内の画像である。
【００５９】
次にステップ２１８では、上記ステップ２１７で抽出した枠画像５９の範囲内の画像６６の画像データを、撮影データ記憶テーブル４９へゴーグル１２の識別番号に関連付けて記憶した後に、本ルーチンを終了する。
【００６０】
このように、上記ステップ２１６乃至ステップ２１８の処理によって、詳細を後述するプリント作成の対象となる画像データを撮影データ記憶テーブル４９へ記憶することができる。
【００６１】
なお、上記ステップ２１８の処理終了後、更にゴーグル１２から撮影指示信号を受信し、上記ステップ２１４で肯定された場合、上記ステップ２１８の記憶処理では、上記ステップ２１７で抽出した枠画像５９の範囲内の画像６６の画像データを、撮影データ記憶テーブル４９へゴーグル１２の識別番号に関連付けて新たに追記することによって記憶する。
【００６２】
このため、同一のゴーグル１２から複数回撮像指示信号を受信した場合、撮影指示信号受信回数に相当する件数の画像データが、後述するプリント作成の対象となる画像データとして撮影データ記憶テーブル４９に記憶される。
【００６３】
上記ステップ２１４で否定されると、ステップ２２０へ進み、表示指示がなされたか否かを判断する。ステップ２２０の判断は、操作部４２による入力の有無を判別する手動判別でもよく、データによる自動判別でもよい。手動判別の場合、ゴーグル１２を識別可能な識別データを操作部４２のユーザによる操作によって入力される入力信号を判別することで可能である。自動判別の場合、ゴーグル１２から表示指示を示すデータを受信したときに肯定されるようにしてもよい。この表示指示を示すデータは、ゴーグル１２を識別可能な識別番号を含んで構成されるようにすればよい。なお、ゴーグル１２からの表示指示を示すデータは、例えば、ユーザの操作による図示を省略した電源の遮断による遮断処理実行前に、制御装置１４へ送信されるようにすればよい。
【００６４】
ステップ２２０で否定されると本ルーチンを終了し、肯定されるとステップ２２２へ進む。ステップ２２２では、撮影データ記憶テーブル４９を参照することにより、上記ステップ２２０で入力されたゴーグル１２の識別番号に該当する全ての上記ステップ２１７で抽出した枠画像５９の範囲内の画像６６の画像データを検索する。
【００６５】
次にステップ２２４において、上記ステップ２２２で検索した枠画像５９の範囲内の画像６６を表示部４８へ表示する。
【００６６】
これにより、ユーザによるゴーグル１２の操作部２２の操作により撮影指示された、スクリーン３４に視認された枠画像５８の範囲内の画像を表示部４８により再度視認することができる。
【００６７】
次にステップ２２６では、表示部４８に表示された画像について、プリント指示がなされたか否かを判断する。ステップ２２６の判断は、操作部４２によるプリントを指示する画像を示す選択信号の入力を判別することで可能である。例えば、表示部４８に上記ステップ２２２で検索された複数の画像を表示するとともに、表示された各画像を指示可能なボタン表示を行う。そして、これらの表示処理実行中に、ユーザによるボタン表示された位置の押圧や予め定めた画像選択のためのキーの押圧によって、選択信号が入力されるようにする。この選択信号の入力を判別することによって、判断することが可能である。
【００６８】
ステップ２２８では、プリント作成処理を実行した後に本ルーチンを終了する。ステップ２２８の処理は、まず、上記ステップ２２６でプリント指示がなされた画像の画像データに対してプリンタ部４２で所定の画像処理が施される。次に、画像処理が施された画像データに基づいて、記録材料に画像が記録されることによってプリントが作成される。
【００６９】
ステップ２２８の処理によって、ユーザは、ゴーグル１２でプリント作成の対象となる画像として撮影指示を行い、且つプリント指示を行ったスクリーン３４上に視認された枠画像５８内の画像が形成されたプリントを得ることができる。
【００７０】
なお、上記ステップ２０６の処理が本発明の表示制御装置の特定手段の機能に相当し、上記ステップ２０８の処理が枠生成手段の機能に相当する。また、上記ステップ２０８乃至ステップ２１２、及び上記ステップ１０８乃至１１２の処理が、制御手段の機能に相当する。
【００７１】
以上説明したように、本実施の形態では、ＣＣＤ２６によって得られた撮像画像７６の画像データと、ＣＣＤ２８によって得られた撮像画像７８との重複領域の画像６４に含まれるスクリーン３４の範囲６５を特定し、特定したスクリーン３４の範囲６５を示す枠画像５９を作成し、枠画像５９の枠データからＬＣＤ３６及びＬＣＤ３８に表示する枠画像６０の枠データを作成する。この枠画像６０は、ＬＣＤ３６及びＬＣＤ３８に表示されると、ＬＣＤ３６及びＬＣＤ３８を介してスクリーン３４上に枠画像５８が視認される。このため、ユーザの自己の視認範囲におけるプリント形成の対象となる範囲をユーザに対して視認可能に提供することができる。また、ゴーグル１２を装着したユーザが頭を動かすこと等によってこのプリント形成の対象となる範囲を変更することができる。従って、ユーザに対してゴーグルシステム１０への参加意識を高めることができる。
【００７２】
また、ゴーグル１２を装着したユーザが頭を動かすこと等によって、ＣＣＤ２６によって得られた撮像画像７６の画像データ、及びＣＣＤ２８によって得られた撮像画像７８の画像データの重複領域の画像６４に、スクリーン３４の範囲６５外の領域が含まれた場合であっても、スクリーン３４の範囲６５内の画像をプリント作成の対象範囲とすることができる。
【００７３】
また、スクリーン３４の範囲６５内の画像のプリントを作成することができるので、ゴーグルシステム１０の趣向性を高めることができる。
【００７４】
なお、本発明は、上記の実施の形態に限られるものではない。例えば、本実施の形態では制御装置１４とゴーグル１２とを別体として設けた場合を説明したが、制御装置１４をゴーグル１２と一体的に設けるようにとしてもよい。
【００７５】
また、本実施の形態では、ゴーグル１２に撮像部１６として、ＣＣＤ２８及びＣＣＤ３０を設けるものとして説明したが、１個のＣＣＤのみを設けるようにしてもよい。この場合、例えば、ＣＣＤは、ゴーグル１２のＬＣＤ３６とＬＣＤ３８との間の領域に設けることが望ましい。
【００７６】
なお、本実施の形態では、操作部２２をゴーグル１２と一体的に設けた場合を説明したが、操作部２２をゴーグル１２と別体として設け、無線または有線によりゴーグル１２に接続可能としてもよい。
【００７７】
【発明の効果】
以上説明したように、本発明の表示制御装置によれば、撮影によって得られた画像データの撮影画像に含まれる画面の範囲を特定し、特定した画面の範囲を示す枠画像の枠データを作成し、作成した枠画像の大きさ及び位置が画面範囲に略一致して視認されるように表示制御装置に表示画像を表示するので、視認範囲における画面の範囲をユーザに対して視認可能に提示することができ、表示画像の趣向性を高めることが可能な表示制御装置を提供することができる、という効果が得られる。
【図面の簡単な説明】
【図１】本発明の実施の形態に係るゴーグルシステムの主要構成を示すブロック図である。
【図２】本実施の形態に係るゴーグルの構成の一例を示す一部破砕の上面図及びゴーグルシステムを示すイメージ図である。
【図３】本発明の実施の形態に係るゴーグルにおける処理の流れを示すフローチャートである。
【図４】本発明の実施の形態に係る制御装置における処理の流れを示すフローチャートである。
【図５】本発明の実施の形態に係るゴーグルの正面図である。
【図６】本発明の実施の形態に係るスクリーン上に表示されたように視認される枠画像を示す模式図である。
【符号の説明】
１０  ゴーグルシステム
１２  ゴーグル
１４  制御装置
１６  撮像部
１８  表示部
２０  制御部
３４  スクリーン
４０  制御部
４２  プリンタ部
【図１】
2004248116.tif 000003
【図２】
2004248116.tif 000004
【図３】
2004248116.tif 000005
【図４】
2004248116.tif 000006
【図５】
2004248116.tif 000007
【図６】
2004248116.tif 000008